(57)【要約】【課題】  不正器具を用いた不正なカウントアップを容易に行うことができない遊技機の投入メダル選別装置を提案し、遊技ホール経営者の満足度を向上させる。【解決手段】  メダル類を通過させる通路と、この通路を通過するメダル類を検知するセンサとを備えた遊技機の投入メダル選別装置に、上記センサの投光素子による投光パルスの投光タイミングと上記センサの受光素子の受光タイミングとの同期をとってメダル類の真正通過を判定する判定部と、前記投光素子で投光する投光パルスを変化させるパルス変化実行部を備えた。【選択図】    図１３
2006055181.tif 000002
【特許請求の範囲】
【請求項１】
メダル類を通過させる通路と、
この通路を通過するメダル類を検知するセンサとを備えた遊技機の投入メダル選別装置であって、
上記センサの投光素子による投光パルスの投光タイミングと上記センサの受光素子の受光タイミングとの同期をとってメダル類の真正通過を判定する判定部と、
前記投光素子で投光する投光パルスを変化させるパルス変化実行部を備えた
遊技機の投入メダル選別装置。
【請求項２】
前記パルス変化実行部を、前記判定部で不正入光を検出したと判定した場合に、少なくとも次の１つの投光パルスを停止する構成とした
請求項１記載の遊技機の投入メダル選別装置。
【請求項３】
前記パルス変化実行部を、前記判定部で不正入光を検出したと判定した場合に、次の投光パルスを遅延させる構成とした
請求項１記載の遊技機の投入メダル選別装置。
【請求項４】
前記パルス変化実行部を、前記判定部で不正入光を検出したと判定した場合に、投光パルスのパルス周期を変更する構成とした
請求項１、２又は３記載の遊技機の投入メダル選別装置。
【請求項５】
前記パルス変化実行部を、前記判定部の判定に関係のない所定の条件でパルス周期を変更する構成とした
請求項１から４のいずれか１つに記載の遊技機の投入メダル選別装置。
【発明の詳細な説明】
【技術分野】
【０００１】
この発明は、メダル類（メダル、コイン、硬貨）を通過させる通路と、この通路を通過するメダル類を検知するセンサとを備えたスロットマシンのような遊技機の投入メダル選別装置に関する。
【背景技術】
【０００２】
従来、遊技機の投入メダル選別装置（いわゆるメダルセレクタ）として、メダル投入口の内方に垂直方向から斜め下向きに傾斜させたメダル転動通路を設けるものが提案されている。この投入メダル選別装置は、上記転動通路をメダルが通過する時に、メダルの自重により転動して搬送される過程で、メダルの適・不適の大きさ別に選別して、取込み処理と返却処理を行っている。
【０００３】
前記投入メダル選別装置は、通路の全体をメダルの転動搬送方向に下向きに傾斜させるだけでなく、通路側方のメダル厚み方向に対しても傾斜させることにより、メダルの自重が有効に働いて小径メダルを効率よく選別することができるように構成されている（特許文献１参照）。
【０００４】
また、他の投入メダル選別装置として、投光要素から発した光を反射板で反射させることにより、光の進行方向を変えて受光し、これによってメダルの通過を検知する通過検知センサを備えたものも提案されている（特許文献２参照）。  
この投入メダル選別装置は、投光要素からの光軸を直接メダルが遮ることにより、センサが検知状態となる。
【０００５】
このような投入メダル選別装置では、メダルを投入することなく、不正器具等によって遊技機にメダルが通過したと認識させる不正行為が問題となる。  
この不正行為を防止する方法として、２つの通過検知センサをメダルの通過方向に並べて備え、各通過検知センサの出力の重なり方により通過方向を検知する方法が提案されている（特許文献３参照）。  
この方法によれば、Ｌ型に細工した不正器具をセンサに検知させた場合に、通過方向が検知できるために戻り方向を検知でき、通過したのがメダルではないことが検知できる。
【０００６】
しかし、センサとして投光要素と受光部を使用した透過型センサの場合、不正投光要素を備えた不正器具を使用すれば（いわゆる光ゴトと呼ばれる不正行為）、メダルが通過したかの如く検知させられる場合がありえるという問題がある。
【０００７】
詳述すると、例えば不正器具によって投光要素の光を遮断し、メダルの通過であると検知する受光パターンと同一のパターンで受光部に不正投光要素で投光することができれば、メダルが通過したと誤検知させてクレジットをカウントアップ（メダル類の通過の演出）できることがあり得る。
【０００８】
このような不正行為が行える不正器具が一旦製造されてしまえば、以降は不正なカウントアップを容易に行えるため、遊技機を設置する遊技ホールの利益減少に繋がり得るという問題があった。
【０００９】
【特許文献１】特開２００２−１７２２０３号公報
【特許文献２】特開２００２−２４８２１０号公報
【特許文献３】特開２００２−２８２４１３号公報
【発明の開示】
【発明が解決しようとする課題】
【００１０】
この発明は、上述の問題に鑑みて、不正器具を用いた不正なカウントアップを容易に行うことができない遊技機の投入メダル選別装置を提案し、遊技ホール経営者の満足度を向上させることを目的とする。
【課題を解決するための手段】
【００１１】
この発明は、メダル類を通過させる通路と、この通路を通過するメダル類を検知するセンサとを備えた遊技機の投入メダル選別装置であって、上記センサの投光素子による投光パルスの投光タイミングと上記センサの受光素子の受光タイミングとの同期をとってメダル類の真正通過を判定する判定部と、前記投光素子で投光する投光パルスを変化させるパルス変化実行部を備えた遊技機の投入メダル選別装置であることを特徴とする。
【００１２】
前記メダル類は、メダル又はコイン硬貨に設定することを含む。  
前記投光素子は、ＬＥＤ（発光ダイオード）等の投光要素に設定することを含む。
【００１３】
前記受光部は、フォトトランジスタやフォトダイオードなどの受光素子または受光素子が予め回路化された受光要素に設定することを含む。  
前記判定部は、判定処理を実行する回路等、判定を行う手段で構成することを含む。
【００１４】
前記パルス変化実行部は、パルスのタイミングを発生するタイミング発生回路、又は、該タイミング発生回路にタイミングを発生させる周期を設定する周期設定回路を含めた回路等、パルスを変化させる手段で構成することを含む。
【００１５】
前記構成により、メダル類の正常通過を偽装する不正行為を防止することが出来る。すなわち、例えば不正投光素子を利用してある投光パルスでメダル類の通過を演出する不正器具が存在したとしても、投光パルスを変化させることで、この不正器具でのメダル類の通過の演出を無効にするといったことができる。
【００１６】
この発明の態様として、前記パルス変化実行部を、前記判定部で不正入光を検出したと判定した場合に、少なくとも次の１つの投光パルスを停止する構成とすることができる。
【００１７】
これにより、メダル類の真正通過以外を検知した場合に、投光パルスの停止によってメダル類の検知を行わないこととなり、不正行為による誤カウントを防止できる。
【００１８】
またこの発明の態様として、前記パルス変化実行部を、前記判定部で不正入光を検出したと判定した場合に、次の投光パルスを遅延させる構成とすることができる。
【００１９】
これにより、メダル類の真正通過以外を検知した場合に、投光パルスの遅延によってその遅延の間はメダル類の検知を行わないこととなり、不正行為による誤カウントを防止できる。
【００２０】
また、遅延後の投光パルスが、投光周期が同一であってもその投光タイミングが全体として遅延前と異なっている（すなわち遅延前の投光パルスの延長線上のタイミングにない）ことで、不正器具等によるメダル類の通過の演出を無効化させることができる。
【００２１】
またこの発明の態様として、前記パルス変化実行部を、前記判定部で不正入光を検出したと判定した場合に、投光パルスのパルス周期を変更する構成とすることができる。
【００２２】
これにより、変更前の投光パルスと同一の不正投光パルスによって、メダル類の通過を演出する不正器具が作成されたとしても、不正器具の挿入時や位置ズレ等で不正を検知した場合に、パルス周期を変更して不正器具を無効化させることができる。
【００２３】
またこの発明の態様として、前記パルス変化実行部を、前記判定部の判定に関係のない所定の条件でパルス周期を変更する構成とすることができる。
【００２４】
前記所定の条件は、毎日、毎週、毎月といった日時による条件、同一のパルス周期で駆動時間が設定時間経過するかといった時間による条件、遊技機を起動する毎といった起動による条件、又は、変更するか否かのランダムな選択による条件等、メダル類の通過の正否に関係のない定期的又は不定期な条件で構成することを含む。
【００２５】
前記構成により、不正器具の利用を困難にすることができる。仮に、不正器具の不正投光パルスのパルス周期が偶然一致してメダル類の通過の演出が行われ、判定部で不正が判定できなかったとしても、パルス周期を変更して継続的な不正利用を防止することができる。
【発明の効果】
【００２６】
この発明により、不正器具を用いた不正なカウントアップを防止することができる。
【発明を実施するための最良の形態】
【００２７】
本発明の実施の形態を以下図面に基づいて詳述する。
【実施例１】
【００２８】
実施例１として、非同期受光信号の検出があった場合に次の投光パルスを停止するタイプのセンサを投入メダル選別装置に備えたスロットマシンについて説明する。
【００２９】
まず、図１に示す斜視図、及び図２に示す正面図と共に、投入メダル選別装置を備えた遊技機の一例として遊技ホールに設置されるスロットマシン１の外観、及び全面扉５を開いた内部の概観について説明する。
【００３０】
図１に示すように、スロットマシン１は前面の遊技操作面の一側にメダルＭを１枚ずつ受入れる投入口２を開口し、この投入口２に投入された正規の大きさのメダルを内部に取込み、不適合の大きさのメダル類を外部の返却口３に返却する選別機能を内蔵している。
【００３１】
また、投入口２の横部には返却ボタン４を隣接しており、この返却ボタン４をプレーヤが遊技中止するために押下操作した場合もメダルＭを返却口３に返却処理する。
【００３２】
図２はスロットマシン１の前面パネルを片開き式に開口した扉の内面状態を示しており、この開口されたスロットマシン本体１ａ側には上部にリール６を有し、下部にメダル取込み用のホッパ７と、図示しないメダル返却通路と、電源装置８とを有している。  
一方、返却口３側の内面には、上部よりリールカバー９と、投入メダル選別装置（メダルセレクタ）１０と、返却口３とをこの順に配設している。  
前記構成により、遊技者は投入口２にメダルＭを投入し、該メダルＭの投入枚数に応じてリール６を回転／停止するスロット遊技を行うことができる。
【００３３】
次に、図３にの正面図、図４に示す分解斜視図、図５に示す開閉板を取外した状態の正面図、及び図６に示す裏面側から見た斜視図と共に、示す投入メダル選別装置１０の構成について説明する。
【００３４】
上述の投入メダル選別装置１０は、平面視コの字状の基板１１と、開閉板１２とを備えている。開閉板１２側の支軸１３は、基板１１側の軸受部1４，１４に軸支している。また、バネ１５により開閉板１２を常時基板１１側に付勢し、これら基板１１と開閉板１２との両者によりメダル通路１６を形成している。
【００３５】
メダル通路１６は前述の投入口２に接続対応する入口１７と下方の出口１８とを有するＬ字状に形成している。このメダル通路１６は、入口１７から下方に延びる縦辺部と、斜め下方に延びて出口１８に至る下辺部と、これら両辺部を湾曲状に連通接続する湾曲部とを備えている。
【００３６】
また、図６に示すように、基板１１裏側には、支軸１９を支点として揺動可能な可動ガイド板２０を設けている。この可動ガイド板２０のガイド部２１を、基板１１の開口部２２から図３、図４、図５に示すようにメダル通路１６の上部に臨設し、このガイド部２１でメダルＭの上端側を搬送ガイドすべく構成している。
【００３７】
さらに、上述の可動ガイド板２０には図６に示すように基板１１の裏側に位置する排出部材としてのブロッカーアーム２０ｂを一体に折り曲げ形成し、このブロッカーアーム２０ｂの下端ブロッカー部２０ｃをメダル通路１６下流側の開口部１６ａから該メダル通路１６に出没可能に構成している。
【００３８】
また、上述の基板１１の裏側には、図６に示すように、ソレノイド２４で駆動されるレバー２５を設け、このレバー２５の遊端２５ａを可動ガイド板２０の上端２０ａに対向させ、ソレノイド２４のＯＮ時にレバー２５の遊端２５ａで可動ガイド板２０の上端２０ａを押圧して、そのガイド部２１でメダルＭの上端側を搬送ガイドする構成としている。
【００３９】
また、ブロッカーアーム２０ｂの下端ブロッカー部２０ｃをメダル通路１６の開口部１６ａから裏面側に後退させ、ソレノイド２４のＯＦＦ時にはガイド部２１によりメダルＭの上端側の搬送ガイドを解除する構成としている。
【００４０】
したがって、出口１８からは遊技機用として専用に設けられた一定の大きさの円板形状を有する適正な大きさのメダルＭのみが受け入れ許容される。  
この出口１８の直前部においてメダル通路１６を形成する基板１１の通路壁には、通路１６を通過するメダルＭを探知して計数するセンサ３０を取付けている。
【００４１】
以上の構成により、異径メダルＭ１を返却してメダルＭを選別できると共に、メダル通路１６を通過する正規のメダルＭをセンサ３０で計数することができる。
【００４２】
次に、図７に示す斜視図、図８に示す正面図、図９に示す左側面断面図（図８のA−A線矢視断面図）、図１０に示す右側面断面図（図８のＢ−Ｂ線矢視断面図）と共に、センサ３０の構成について説明する。  
なお、図８において矢印ＲはメダルＭの通過方向を示している。
【００４３】
センサ３０は、図９、図１０に示すように２分割構造のケース３１，３２内に回路基板３３を配置している。メダルＭの通過側に位置する一方のケース３１の上部には上方に延びる突片３４を一体形成し、この突片３４には取付け孔３５と位置決め孔３６とが形成されている。
【００４４】
また、一方のケース３１には、図３、図４、図５に示した基板１１の開口部３７からメダル通路１６の上方部に延出する延出部３８が一体形成されている。  
一方のケース３１は基板１１の裏面に固定され、延出部３８よりも下側の部分において後述する光軸と対応して基板１１のメダル通路１６の通路壁には開口部４０が形成され、センサ３０の全体はメダル通路１６の片面側からのみ投受光し得るコンパクトな配置構成となっている。
【００４５】
図９の断面図（図８のＡ−Ａ線矢視断面図）に示すように、センサ３０のメダル通過方向の上流側にあっては、上述の延出部３８に反射板５０を取付けている。  
また、一方のケース３１の内部上側には発光ダイオード（つまりＬＥＤ）などから成る投光素子４４ａを備えている。
【００４６】
ケースの内部下側には、フォトトランジスタまたはフォトダイオードなどから成る受光部４１ａを備えている。  
上記投光素子４４ａと受光部４１ａはメダル通過方向の上流側にあって、この１対で光学式の検知センサＳ１を構成している。  
これらの各素子４４ａ，４１ａ，に対応して、一方のケース３１には光軸通路としてのスリット４６ａ，４７ａをそれぞれ形成している。
【００４７】
これにより、図９に光軸Ｘ１として示すように、投光素子４４ａからメダル通過方向と直角に交わる水平方向へ投光した光は、反射板５０によって下方へ反射され、受光部４１ａに入光することとなる。
【００４８】
図１０の断面図（図８のＢ−Ｂ線矢視断面図）に示すように、センサ３０のメダル通過方向の下流側にあっては、延出部３８に反射板５０を固定し、投光素子４４ａ（図９）と対応する高さ位置においてケース３１内に受光部４１ｂを配設している。
【００４９】
また受光部４１ａ（図９）と対応する高さ位置においてケース３１内に投光素子４４ｂを配設している。  
上記投光素子４４ｂと受光部４１ｂはメダル通過方向の下流側にあって、この１対で光学式の検知センサＳ２を構成している。  
これらの各素子４４ｂ，４１ｂ，に対応して、一方のケース３１には光軸通路としてのスリット４６ｂ，４７ｂをそれぞれ形成している。
【００５０】
これにより、図１０に光軸Ｘ２として示すように、投光素子４４ｂからメダル通過方向と交わるように投光した光は、反射板５０によって反射され、受光部４１ｂに入光することとなる。
【００５１】
上述の各投光素子４４ａ，４４ｂのリード線４８ａ，４８ｂ、及び、各受光部４ａ１，４１ｂのリード線４２ａ，４２ｂは、回路基板３３に接続されている。  
そして、これら各投光素子４４ａ，４４ｂの光量は、それぞれに対応する受光部４１ａ，４１ｂに入ることで該受光部４１ａ，４１ｂが入光状態になるように設定されている。  
ここで、上述の２個の投光素子４４ａ，４４ｂから受光部４１ａ，４１ｂにそれぞれ入光する入光光量は、それぞれ同一レベルになるように構成されている。
【００５２】
なお、検知検知センサＳ１は、上側に投光素子４４ａを設け、下側に受光部４１ａを設けており、検知検知センサＳ２は、上側に受光部４１ｂを設け、下側に投光素子４４ｂを設けている。
【００５３】
このように、検知センサＳ１と検知センサＳ２とで投受光要素の配置関係を上下逆になるように設定することで、光ゴトによる不正行為を困難にしている。
【００５４】
また、図９で示した検知センサＳ１の側部に、図１０に示す検知検知センサＳ２を配設して、ケース３１，３２に各検知検知センサＳ１，Ｓ２を一体ユニット化している。
【００５５】
なお、上述の投光素子４４ａ，４４ｂとしてはＬＥＤ（発光ダイオード）を用いることができ、上述の受光部４１ａ，４１ｂとしては、受光素子が予め回路化された受光要素を用いている。
【００５６】
このように構成したセンサ３０を、投入メダル選別装置１０におけるメダル通路１６の通路壁に取付けることで、図１１に示すように合計２つの光軸Ｘ１、Ｘ２、（但し、図１１においては図示の便宜上、光軸を○印にて示す）を形成できる。
【００５７】
図１１に示すようにメダルＭがメダル通路１６に沿って同図の矢印方向へ移動して、このメダルＭで光軸Ｘ１、Ｘ２をこの順に遮ることで、メダルＭの通過を検出することができる。
【００５８】
次に、図１２に示す制御回路ブロック図と共に、検知センサＳ１，Ｓ２を備えた投入メダル選別装置１０の制御回路について説明する。
【００５９】
この制御回路は、受光要素４１（４１ａ，４１ｂ）、投光要素４４（４４ａ，４４ｂ）、定電圧回路６１、発振回路６２、増幅回路６５、投光要素駆動回路６７、タイミング発生回路６８、判定回路７０、及び出力回路８１にて構成している。
【００６０】
発振回路６２の次段にはタイミング発生回路６８を接続し、その次段には投光要素駆動回路６７を接続し、さらにその次段に投光要素４４を接続すると共に、上記タイミング発生回路６８の次段に判定回路７０を接続し、その次段に出力回路８１を接続している。
【００６１】
また、受光要素４１の次段には増幅回路６５を接続し、その次段には判定回路７０を接続している。
【００６２】
受光要素４１は、受光した光信号を電気信号へ変換する要素である。  
投光要素４４は、投光要素駆動回路６７の駆動パルスを光に変換する要素である。  
定電圧回路６１は、各ブロックを安定動作させるための定電圧発生回路である。  
発振回路６２は、基準発振出力を生成するための回路である。
【００６３】
増幅回路６５は、上記信号を処理しやすいレベルへ増幅するための回路である。  
投光要素駆動回路６７は、タイミング発生回路６８にて生成された駆動パルスで投光要素を駆動するための回路である。
【００６４】
タイミング発生回路６８は、投光要素駆動パルス及び判定回路の動作タイミングを発生させるための回路である。このタイミング発生回路６８は、判定回路７０の判定結果に基づいて、投光パルスの停止、この停止した投光パルスのタイミングでの判定回路７０による判定の停止、及びこのタイミングでの判定結果の出力の停止も実行し、この停止によって投光パルスを変化させることができる。
【００６５】
判定回路７０は、各動作タイミングごとに入力信号のレベルに応じて動作状態を判定する回路である。
【００６６】
同期処理回路（１）７１は、投光パルス発生時の入力状態を判別するための回路である。  
同期処理回路（２）７２は、投光パルス非発生時の入力状態を判別するための回路である。
【００６７】
出力回路８１は、判定回路にて処理された信号を外部へ出力するための回路である。  
なお、上述の各回路要素４１，４４，６１，６２，６５，６７，６８，７０，８１には、定電圧回路６１からの電源が供給されるように構成している。
【００６８】
以上の構成により、投光要素４４にパルス電流を流し、投光要素４４を間欠点灯（例えば５~１０μｓ程度点灯、１００~５００μｓ程度消灯の繰り返し点灯）する変調光タイプのセンサ３０を構成することができる。  
変調光にすることにより、発光要素の発熱が抑えられるため、より大きい発光光量が得られる。
【００６９】
投光要素４４は、タイミング発生回路６８が発生させた駆動パルスを光に変換し、この変換後の投光パルスを受光要素４１に投光することができる。判定回路７０は、投光要素４４が受ける駆動パルスと同一の動作タイミングをタイミング発生回路６８から受けとっているため、受光要素４１が受光要素４１から受光した光信号のパルスが、投光要素４４の投光パルスと同期がとれている正常信号か判定することができる。
【００７０】
判定回路７０による判定結果は、タイミング発生回路６８に送ることができ、タイミング発生回路６８はこれに基づいて動作タイミングを変化させることができる。
【００７１】
なお、同期とは、例えば受光要素４１側が投光要素４４の点灯を制御するなどの方法で、受光要素４１側が投光要素４４の発光タイミングをあらかじめ認識しており、投光要素４４が発光している間に受光している光を信号として処理していることを言う。  
この同期により、投光要素４４以外からの光の除去効率を高めることができる。
【００７２】
なお、上述した投入メダル選別装置１０の制御回路は、発光タイミングに同期した受光信号を数回受光後、入光状態となるように設計しても良い。この場合、投光要素４４以外からの光の除去率を向上させることができる。また遮光状態も同様に数回受光しなかった場合に遮光状態となるよう設計してもよい。
【００７３】
次に、図１３に示す処理フロー図と共に、投入メダル選別装置１０の制御回路が実行する動作について説明する。  
ここで、図中に仮想線の枠内に示すように、Ａは投光パルスの非発光時間、Ｂは投光パルスの投光時間を示す。
【００７４】
まず、制御回路はタイミングカウンタｎに１加算してカウントアップする（ステップｎ１）。  
タイミングカウンタｎがＡ＋Ｂとなっていれば（ステップｎ２：ＹＥＳ）、パルス停止信号がＯＮか判定する（ステップｎ３）。
【００７５】
パルス停止信号がＯＮであれば（ステップｎ３：ＹＥＳ）、パルス停止信号をリセットし、さらにタイミングカウンタをリセットし（ステップｎ４）、ステップｎ１にリターンする。これにより、パルス停止中の判定と判定結果の出力は行わず、不正等によるメダル数のカウントアップが行えないようにしている。
【００７６】
パルス停止信号がＯＮでなくＯＦＦであれば（ステップｎ３：ＮＯ）、同期処理回路（１）７１で判定することを確定し、投光パルスをＯＦＦにし、さらにタイミングカウンタをリセットする（ステップｎ５）。
【００７７】
制御回路は、同期処理回路（１）７１による判定として、投光パルス発生時の入力状態を判別するべく、現状出力状態（受光要素４１による受光タイミング）と同期受光信号（判定回路７０がタイミング発生回路６８から受け取る動作タイミング）とを比較する（ステップｎ６）。
【００７８】
比較結果が一致する場合は（ステップｎ６：ＮＯ）、判定結果カウンタデータに「０」を代入して初期化し、さらに同期受光信号をリセットし（ステップｎ７）、ステップｎ１にリターンする。  
比較結果が不一致の場合は（ステップｎ６：ＹＥＳ）、判定結果切替カウンタＮが「３」か否かを判定する（ステップｎ８）。ここで、判定結果切替カウンタを２以上の定数とすることで、複数回の不一致で不正を判定する設定とし、ほこり等によって比較結果が不一致となったような場合に不正であると判定することを防止している。なお、判定結果切替カウンタＮは「３」以外の他の定数としても良い。
【００７９】
Ｎ＝３であれば（ステップｎ８：ＹＥＳ）、予め定めた回数（３回）連続して発生したため、入光状態が逆転したことを確定し出力状態の反転を行い、さらに同期受光信号をリセットし（ステップｎ９）、ステップｎ１にリターンする。
【００８０】
Ｎ＝３でなければ（ステップｎ８：ＮＯ）、判定結果切替カウンタＮに１加算してカウントアップし、さらに同期受光信号をリセットし（ステップｎ１０）、ステップｎ１にリターンする。
【００８１】
前記ステップｎ２でタイミングカウンタｎがＡ＋Ｂでなかった場合は（ステップｎ２：ＮＯ）、タイミングカウンタｎがＡより小さいか比較する（ステップｎ１１）。  
ｎ＜Ａであった場合は（ステップｎ１１）、同期処理回路（２）７２により受光状態を確認する（ステップｎ１２）。
【００８２】
同期処理回路（２）７２にて受光ありと判定した場合は（ステップｎ１３：ＹＥＳ）、本来受光がないはずのタイミングで受光している不正状態であるから、パルス停止信号をＯＮにして（ステップｎ１４）、ステップｎ１にリターンする。
【００８３】
同期処理回路（２）７２にて受光なしと判定した場合は（ステップｎ１３：ＮＯ）、受光のないはずのタイミングで受光がない正常な状態であるから、そのままステップｎ１にリターンする。
【００８４】
前記ステップｎ１１でｎ＜Ａでなかった場合は（ステップｎ１１：ＮＯ）、パルス停止信号がＯＮか否かを判定する（ステップｎ１５）。
【００８５】
パルス停止信号がＯＮであれば（ステップｎ１５：ＹＥＳ）、すでに不正を検出しているため同期処理回路（１）の処理を行わず、ステップｎ１にリターンする。
【００８６】
パルス停止信号がＯＦＦであれば（ステップｎ１５：ＮＯ）、投光要素４４の駆動パルスをＯＮにし、同期処理回路（１）７１の受光状態を確認する（ステップｎ１６）。
【００８７】
同期処理回路（１）７１で受光があれば（ステップｎ１７：ＹＥＳ）、正規の光を受光していると考えられるから、同期受光信号をＯＮにし（ステップｎ１８）、ステップｎ１にリターンする。
【００８８】
同期処理回路（１）７１で受光がなければ、（ステップｎ１７：ＮＯ）、そのままステップｎ１にリターンする。
【００８９】
以上の動作により、不正な検出があった場合は、パルス停止信号によって投光要素４１に送る駆動パルスを停止して、不正行為によるメダル数のカウントアップができないように構成している。
【００９０】
不正な検出が連続してあれば、その間ずっとパルス停止信号がＯＮになって駆動パルスが停止する。従ってその間は、投光要素４４による投光と受光要素４１の受光を判定回路７０で判定する処理を行わず、メダルＭのカウントアップの不実行を継続することとなる。
【００９１】
これにより、図１４のタイムチャート図に示すように、不正器具を用いた不正なカウントアップを防止できる。  
この図１４によるタイムチャート図では、検知センサＳ１に着目して図示している。またこの例の不正器具は、投光要素４４の光を遮断し、受光要素４１に投光要素４４の投光パルスよりはるかに高周波の高周波投光パルスを投光し、受光要素４１を誤動作させようとするものである。
【００９２】
まず、ｔ１として示す不正器具による高周波投光パルス開始時点のパルスは、検知センサＳ１の受光要素４１である受光部４１ａにて受光する。
【００９３】
このとき、本来投光していないはずのタイミングであるため、同期処理回路（２）７２が判定を行い、受光なしタイミング中の受光として不正状態であることを判定する。
【００９４】
そうすると、ｔ２に示すようにパルス停止信号をＯＮとし、この状態がｔ３に示すように次の投光パルスが終了するタイミングまで継続する。
【００９５】
従って、次の投光パルスのタイミングでは投光パルスを停止すると共に受光検知も行わず、メダルのカウントアップは行わない状態となり、ｔ４に示すように検知センサＳ１も出力を行わない。
【００９６】
この一連の処理が、図示するように繰返して行われるため、不正器具によって不正にカウントアップしようとしても、投光パルスが停止しつづけてカウントアップされないこととなる。
【００９７】
このようにして、光ゴトと呼ばれる不正行為が行われても、不正な入力信号によって出力回路８１からの出力切り替えを停止し、メダル数をカウントアップせず、不正計数を防止することができる。
【００９８】
なお、他の光ゴトとしては、例えば２つの不正投光要素により、
初期状態：不正投光要素１＝点灯、不正投光要素２＝点灯
ステップ１：不正投光要素１＝消灯、不正投光要素２＝点灯
ステップ２：不正投光要素１＝消灯、不正投光要素２＝消灯
ステップ３：不正投光要素１＝点灯、不正投光要素２＝消灯
ステップ４：不正投光要素１＝点灯、不正投光要素２＝点灯
をタイミングよく実行してメダル通過が演出されるものもある。これを繰り返すことによって、メダルが何枚も投入されたかのようにクレジットを満載までカウントアップさせようとされる。
【００９９】
このような場合であっても、高周波パルスのタイミングが合わなければ不正カウントができず、また、不正器具の挿入時や、メダル通過の演出中の位置ズレによる不正検知によって、カウント自体を停止して不正なカウントアップを防止できる。
【実施例２】
【０１００】
実施例２として、非同期受光信号の検出があった場合に、次の投光パルスを停止すると共に投光周期を変更するタイプのセンサを投入メダル選別装置に備えたスロットマシンについて説明する。
【０１０１】
この場合、スロットマシン１の構成、投入メダル選別装置１０、及びセンサ３０の構成については、図１〜図１０と共に説明した実施例１と同一であるので、その詳細な説明を省略する。
【０１０２】
図１５に示す制御回路ブロック図と共に、検知センサＳ１，Ｓ２を備えた投入メダル選別装置１０の制御回路について説明する。
【０１０３】
この制御回路では、発振回路６２の次段にはタイミング発生回路６８に加えて投光周期設定回路６４を接続し、その次段にタイミング発生回路６８を接続する構成としている。  
ここで、投光周期設定回路６４は、投光周期を設定するための回路であり、定電圧回路６１からの電源が供給されるように構成している。
【０１０４】
その他の構成については、前述した実施例１と同一であるので、同一要素に同一符号を付してその詳細な説明を省略する。
【０１０５】
以上の制御回路により、投光周期を設定できるため、投光周期を変化させることが可能となる。
【０１０６】
次に、図１６に示す処理フロー図と共に、投入メダル選別装置１０の制御回路が実行する動作について説明する。
【０１０７】
制御回路は、タイミングカウンタｎに１加算してカウントアップし（ステップｐ１）、タイミングカウンタｎがＡ＋Ｂとなっていれば（ステップｐ２：ＹＥＳ）、投光周期を変更（ステップｐ３）した後に、パルス停止信号がＯＮか判定する（ステップｐ４）。
【０１０８】
他の処理であるステップｐ４〜ｐ１９は、前述した実施例１のステップｎ３〜ｎ１８と同一であるから、その詳細な説明を省略する。
【０１０９】
以上の動作により、図１７のタイミングチャートに示すように投光周期をＣ，Ｅ，Ｄ，Ｆ，Ｃ，Ｅといったように、判定回路７０の判定結果に関わらず投光パルス１つ毎に随時変更することができる。
【０１１０】
これにより、上述した実施例１の効果に加えて、同期しようとする不正信号からの回避能力を向上することができる。すなわち、投光要素４４の投光周期と一致する不正投光周期の不正器具を作成することがより困難となり、不正行為を防止することができる。
【０１１１】
なお、投光周期の変更は、例えば毎日変更する、１つの投光周期でのスロットマシン１の稼働時間が所定時間になれば変更する、スロットマシン１の起動時に変更する等、適宜定めた条件に従って長く又は短く変更すると良い。
【０１１２】
また、設定する投光周期は、予め定めた範囲内（例えば５０ｍｓｅｃ〜２００ｍｓｅｃ）から乱数としてランダムに取り出す、又は、予め設定した複数個の周期を任意に取り出す等によって設定すると良い。
【実施例３】
【０１１３】
実施例３として、非同期受光信号の検出があった場合に、次の投光パルスを停止すると共に投光周期を変更するタイプのセンサを投入メダル選別装置に備えたスロットマシンについて説明する。
【０１１４】
この場合、スロットマシン１の構成、投入メダル選別装置１０、及びセンサ３０の構成については、図１〜図１０と共に説明した実施例１と同一であるので、その詳細な説明を省略する。
【０１１５】
図１８に示す制御回路ブロック図と共に、検知センサＳ１，Ｓ２を備えた投入メダル選別装置１０の制御回路について説明する。
【０１１６】
この制御回路では、判定回路７０の次段に、出力回路８１及びタイミング発生回路６８に加えて投光周期設定回路６４を接続する。
【０１１７】
その他の構成については、前述した実施例２と同一であるので、同一要素に同一符号を付してその詳細な説明を省略する。
【０１１８】
以上の制御回路により、判定回路７０の判定結果に基づいて投光周期を変化させることが可能となる。
【０１１９】
次に、図１９に示す処理フロー図と共に、投入メダル選別装置１０の制御回路が実行する動作について説明する。
【０１２０】
制御回路は、タイミングカウンタｎに１加算してカウントアップし（ステップｓ１）、タイミングカウンタｎがＡ＋Ｂとなっていれば（ステップｓ２：ＹＥＳ）、パルス停止信号がＯＮか判定する（ステップｐ３）。
【０１２１】
パルス停止信号がＯＮであれば（ステップｎ３：ＹＥＳ）、投光周期を変更し（ステップｓ４）、ステップｎ１にリターンする。
【０１２２】
これにより、本来投光を行うパルスのタイミングでパルス停止中であれば、投光周期を変更する。
【０１２３】
また、パルス停止中の判定は行わず、不正等によるメダル数のカウントアップが行えないようにしている。
【０１２４】
他の処理であるステップｓ５〜ｓ１９は、前述した実施例１のステップｎ４〜ｎ１８と同一であるから、その詳細な説明を省略する。
【０１２５】
以上の動作により、図２０のタイミングチャートに示すように、投光周期をＣ，Ｃ，Ｄ，Ｆ，Ｅ，Ｄ，Ｄといったように、不正を検知した場合に投光周期を変更することができる。
【０１２６】
図示の例では、不正を検知するまでは、投光周期Ｃで投光パルスを投光して受光有無を検知し、入光／遮光を出力している。  
不正を検知すると、投光パルスを停止し、停止した投光パルスのタイミングで以降の投光周期を投光周期Ｄに変更する。
【０１２７】
不正を検知している間は、投光周期の変更を繰り返す。  
図示するように投光周期Ｄに変更した後に、不正を検知しなくなれば、そのときの投光周期Ｄにて以降の判定及び出力を実行する。
【０１２８】
また、上述した実施例１と同様に、ｔ１〜ｔ４に示すように、受光なしのタイミングでの受光によってパルス停止を行い、カウントアップしないことで、不正なカウントアップを防止することができる。
【０１２９】
なお、投光周期の変更は、例えば毎日変更する、１つの投光周期でのスロットマシン１の稼働時間が所定時間になれば変更する、スロットマシン１の起動時に変更する等、適宜定めた条件に従って長く又は短く変更すると良い。
【０１３０】
また、設定する投光周期は、予め定めた範囲内（例えば５０ｍｓｅｃ〜２００ｍｓｅｃ）から乱数としてランダムに取り出す、又は、予め設定した複数個の周期を任意に取り出す等によって設定すると良い。
【０１３１】
また、投光周期の変更が、図２０に示すように、投光周期Ｃの状態からＤ，Ｆ，Ｅ，Ｄと連続して変更する間は、変更前の投光周期Ｃと同一の周期には変更しない設定としても良い。これにより、連続変更した後の投光周期が、変更開始前の投光周期と一致してしまうことを防止できる。
【実施例４】
【０１３２】
実施例４として、判定回路７０による判定結果に関係なく、単純に投光周期を変更するタイプのセンサを投入メダル選別装置に備えたスロットマシンについて説明する。
【０１３３】
この場合、スロットマシン１の構成、投入メダル選別装置１０、及びセンサ３０の構成については、図１〜図１０と共に説明した実施例１と同一であるので、その詳細な説明を省略する。
【０１３４】
図２１に示す制御回路ブロック図と共に、検知センサＳ１，Ｓ２を備えた投入メダル選別装置１０の制御回路について説明する。
【０１３５】
この制御回路では、発振回路６２の次段にはタイミング発生回路６８に加えて投光周期設定回路６４を接続し、その次段にタイミング発生回路６８を接続する構成としている。
【０１３６】
また、判定回路７０の次段にはタイミング発生回路６８を接続せずに出力回路８１のみを接続する構成としている。なお、図示では同期処理回路（１）７１及び同期処理回路（２）７２を省略しているが、不正か否かを検知するために、判定回路７０には同期処理回路（１）７１及び同期処理回路（２）７２を備えている。
【０１３７】
その他の構成については、前述した実施例１と同一であるので、同一要素に同一符号を付してその詳細な説明を省略する。
【０１３８】
以上の制御回路により、投光周期を設定できるため、投光周期を変更することが可能となる。
【０１３９】
投光周期の変更は、例えば毎日変更する、１つの投光周期でのスロットマシン１の稼働時間が所定時間になれば変更する、スロットマシン１の起動時に変更する等、適宜定めた条件に従って変更すると良い。
【０１４０】
また、設定する投光周期は、予め定めた範囲内（例えば５０ｍｓｅｃ〜２００ｍｓｅｃ）から乱数としてランダムに取り出す、又は、予め設定した複数個の周期を任意に取り出す等によって設定すると良い。
【０１４１】
これにより、判定回路７０による判定に関わらず、投光周期を定期又は不定期に適切な範囲内で変更することができる。従って、投光パルスの投光周期に対応する投光周期で不正投光パルスを投光する不正器具が作成されたような場合であっても、日付変更又は所定時間経過若しくは起動等によって投光周期が変化するため、上記不正器具による不正なカウントアップを防止することができる。
【０１４２】
なお、以上の各実施形態では、パルス停止信号によって不正を検知した次の１つのパルスを停止する構成としたが、次の２つや３つ等、複数個のパルスを続けて停止する構成としても良い。この場合は、不正を検知した後のカウントアップの停止時間を長くすることができる。
【０１４３】
また、上述したようにパルス停止信号によって不正を検知した次のパルスを停止する構成ではなく、次の投光パルスの投光タイミングを遅延させる構成としても良い。この場合、不正を検知した段階で所定時間次の投光パルスを遅延させ、遅延後に投光パルスを再開する構成とすれば良い。
【０１４４】
これにより、投光パルスの投光周期を変更しなかったとしても、遅延時間が投光周期の時間間隔と同一でない限り、遅延後の投光パルスの位相は遅延前の投光パルスの位相と異なることとなる。従って、不正器具による不正なカウントアップを困難にすることができる。このため、遅延時間は投光周期と異ならせるように設定することが望ましい。
【０１４５】
なおこの場合、上述した実施例１〜３であれば、遅延後の投光パルスは投光周期を変更した後の投光パルスとすれば良い。この場合でも、投光周期の変更に投光パルスの位相のずれが加わるため、不正器具による不正なカウントアップを困難にすることができる。
【０１４６】
また遅延させる場合において、遅延時間を投光周期の時間間隔と同一に設定した場合は、上述した実施例１〜３にて次の投光パルスを停止するのと同一の効果が得られる。
【０１４７】
また、上述した各実施例では、２つある投光素子４４ａ，４４ｂの両方で投光パルスを投光して判定回路７０で判定する構成としたが、投光パルスはいずれか一方の投光素子のみで実行し、判定回路７０による投光パルスと同期を取った判定もその一方のみに対して実行する構成としても良い。この場合、他方の投光素子は、間欠投光ではなく連続投光等に構成すればよい。
【０１４８】
このように最低１光軸について同期判定を行うことで、メダルＭの通過方向の検知と、一方の投光素子に対応する受光部に同期が取れていない投光が有るか否かの検出ができ、不正行為を防止することができる。
【０１４９】
この発明の構成と、上述の実施形態との対応において、
この発明の遊技機は、実施形態のスロットマシン１に対応し、
以下同様に、
通路は、メダル通路１６に対応し、
受光素子は、受光部４１ａ，４１ｂに対応し、
パルス変化実行部は、タイミング発生回路６８及び投光周期設定回路６４に対応し、
判定部は、判定回路７０に対応し、
メダル類は、メダルＭに対応するも、
この発明は、上述の実施形態の構成のみに限定されるものではなく、多くの実施の形態を得ることができる。
【図面の簡単な説明】
【０１５０】
【図１】本発明の投入メダル選別装置を備えた遊技機の外観図。
【図２】投入メダル選別装置の配設箇所を示す説明図。
【図３】投入メダル選別装置の正面図。
【図４】投入メダル選別装置の分解斜視図。
【図５】開閉板を取外した状態で示す投入メダル選別装置の正面図。
【図６】投入メダル選別装置を裏面側から見た状態で示す斜視図。
【図７】センサの斜視図。
【図８】センサの正面図。
【図９】図８のA−A線矢視断面図。
【図１０】図８のＢ−Ｂ線矢視断面図。
【図１１】通過メダル検知時の説明図。
【図１２】センサの制御回路ブロック図。
【図１３】制御回路の動作を示すフローチャート。
【図１４】信号処理を示すタイミングチャート。
【図１５】実施例２のセンサの制御回路ブロック図。
【図１６】実施例２の制御回路の動作を示すフローチャート。
【図１７】実施例２の信号処理を示すタイミングチャート。
【図１８】実施例３のセンサの制御回路ブロック図。
【図１９】実施例３の制御回路の動作を示すフローチャート。
【図２０】実施例３の信号処理を示すタイミングチャート。
【図２１】実施例４のセンサの制御回路ブロック図。
【符号の説明】
【０１５１】
１…スロットマシン
１０…投入メダル選別装置
１６…メダル通路
３０…センサ
４１ａ，４１ｂ…受光部
４４ａ，４４ｂ…投光素子
６４…投光周期設定回路
６８…タイミング発生回路
７０…判定回路
Ｍ…メダル
【図１】
2006055181.tif 000003
【図２】
2006055181.tif 000004
【図３】
2006055181.tif 000005
【図４】
2006055181.tif 000006
【図５】
2006055181.tif 000007
【図６】
2006055181.tif 000008
【図７】
2006055181.tif 000009
【図８】
2006055181.tif 000010
【図９】
2006055181.tif 000011
【図１０】
2006055181.tif 000012
【図１１】
2006055181.tif 000013
【図１２】
2006055181.tif 000014
【図１３】
2006055181.tif 000015
【図１４】
2006055181.tif 000016
【図１５】
2006055181.tif 000017
【図１６】
2006055181.tif 000018
【図１７】
2006055181.tif 000019
【図１８】
2006055181.tif 000020
【図１９】
2006055181.tif 000021
【図２０】
2006055181.tif 000022
【図２１】
2006055181.tif 000023